(57)【要約】【課題】その目的は、法面工事における作業工程及び作業工数を減少させることができ、法面の傾斜角度の違いに容易に対応しうる法尻パネルブロックを提供することにある。【解決手段】道路と法面との境界部分に配設される基礎ブロックと、下端を基礎ブロック上に据付け支持され、かつ法面に沿って配設される所定形状の法尻パネルと、各法尻パネル間に配設される目地材と、法尻パネルに取り付けられ、法尻パネルを法面に固着するアンカーピンとを有することを特徴とする法尻パネルブロック。【選択図】      図１
2006249658.tif 000002
【特許請求の範囲】
【請求項１】
道路と法面との境界部分に配設される基礎ブロックと、
下端を基礎ブロック上に据付け支持され、かつ法面に沿って配設される所定形状の法尻パネルと、
各法尻パネル間に配設される目地材と、
法尻パネルに取り付けられ、法尻パネルを法面に固着するアンカーピンとを有することを特徴とする法尻パネルブロック。
【請求項２】
法尻パネルを支持する基礎ブロックが、法面側の側面に、法尻パネルの支持面を円弧状とした受け部を複数配設されていることを特徴とする請求項１に記載の法尻パネルブロック。
【請求項３】
法尻パネルが、レジンコンクリート製であり、上部にアンカーピンを取り付けるための取付孔が形成されていることを特徴とする請求項１または請求項２に記載の記載の法尻パネルブロック。
【発明の詳細な説明】
【技術分野】
【０００１】
この発明は、道路脇の法面を保護するとともに、法面に樹生する草木の道路への影響を回避等するために敷設する法尻パネルブロックに関する。
【背景技術】
【０００２】
山間部等を通る道路の側部の山や丘陵の法面には、道路脇の法面を保護するとともに、法面に樹生する草木の道路への影響を回避等するために、従来よりコンクリート製の法面ブロックが敷設されている（例えば特開平９−１６５７５０号公報、特許文献１参照）。
【０００３】
あるいは、図８に示す従来の法面ブロック構造体１０１は、歩道や車道としての道路１０２と法面１０３との境界部分に埋設される基礎ブロック１０４と、法面１０３に沿って配される法面ブロック１０５と、から成り、基礎ブロック１０４の法面側に所定の角度で形成した傾斜部１０４ａに法面ブロック１０５の下端面を当接させることにより、該法面ブロック１０５を法面１０３に沿って傾斜させた状態で敷設している。
また、特開２００４−６０４３１公報（特許文献２参照）のように、道路と法面との境界部分に布設される基礎ブロックと、法面に沿って布設される矩形の法面ブロックと、を備えており、上記基礎ブロックの一方の肩部に法面側傾斜部を形成し、該法面側傾斜部と上記法面ブロックの下端部とを角度可変な継手を介して接続したことを特徴とする法面ブロックユニットも提案されている。
【特許文献１】特開平９−１６５７５０号公報
【特許文献２】特開２００４−６０４３１公報
【発明の開示】
【発明が解決しようとする課題】
【０００４】
ところで、図８に示す法面ブロック構造体１０１は、基礎ブロック１０４と法面ブロック１０５とが別体であるので、基礎ブロック１０４を埋設する作業、基礎ブロック上に平板状の法面ブロック１０５を積み上げる作業、この平板状法面ブロック１０５の上に枠状の法面ブロックを積み上げる作業が個別に必要であり、また、基礎ブロック１０４の上を被う作業も必要であった。
また、基礎ブロック１０４の法面側傾斜部１０４ａに法面ブロック１０５の下端面を当接させて構築しているので、法面ブロック１０５の傾斜角度が基礎ブロック１０４の傾斜部１０４ａの角度に依存することになり、法面１０３の傾斜角度の違いに対応し難く、角度の異なる傾斜部１０４ａを有する複数種の基礎ブロック１０４を準備しなければならなかった。
【０００５】
また、特開２００４−６０４３１公報の、道路と法面との境界部分に布設される基礎ブロックと、法面に沿って布設される矩形の法面ブロックとを備え、上記基礎ブロックの一方の肩部に法面側傾斜部を形成し、該法面側傾斜部と上記法面ブロックの下端部とを角度可変な継手を介して接続した法面ブロックユニットにおいては、法面ブロックが大型でかつブロックの厚さを有するによって非常に重く、しかも基礎ブロックと法面ブロックとが継手を介して接続されているので逆に設置作業が手間のかかるものとなってしまい、実用性に乏しいという問題があった。
【０００６】
この発明は、このような事情に鑑みてなされたものであり、その目的は、法面工事における作業工程及び作業工数を減少させることができ、法面の傾斜角度の違いに容易に対応しうる法尻パネルブロックを提供することにある。
【課題を解決するための手段】
【０００７】
この発明は、前記目的を達成するために提案されたものであり、請求項１に記載の法尻パネルブロックは、
道路と法面との境界部分に配設される基礎ブロックと、
下端を基礎ブロック上に据付け支持され、かつ法面に沿って配設される所定形状の法尻パネルと、
各法尻パネル間に配設される目地材と、
法尻パネルに取り付けられ、法尻パネルを法面に固着するアンカーピンとを有することを特徴とするものである。
【０００８】
請求項２に記載の法尻パネルブロックは、上記法尻パネルを支持する基礎ブロックが、法面側の側面に、法尻パネルの支持面を円弧状とした受け部を複数配設されていることをも特徴とするものである。
【０００９】
請求項３に記載の法尻パネルブロックは、上記法尻パネルが、レジンコンクリート製であり、上部にアンカーピンを取り付けるための取付孔が形成されていることをも特徴とするものである。
【発明の効果】
【００１０】
以上説明したようにこの発明によれば、以下のような優れた効果を奏する。
請求項１に記載の発明によれば、道路と法面との境界部分に敷設される基礎ブロックの法面側に、法面に敷設される法尻パネルの下端部を角度可変な構造として据付け支持するようにしたので、基礎ブロックの作業と法尻パネルの敷設作業とが簡略化でき、作業工程及び作業工数を減少させることができる。また、法尻パネルを支持する角度が可変であるので、法尻パネルの傾斜角度を自由に変えることができ、これにより単一の法尻パネルであっても法面の傾斜角度の違いに容易に対応することができる。したがって、法面の傾斜角度に応じて複数種類の基礎ブロックを作製することが不要となり、製造だけでなく在庫管理も容易になる。
【００１１】
請求項２に記載の発明によれば、法面に敷設される法尻パネルの下端部を角度可変な構造として据付け支持する手段が、法尻パネルの支持面を円弧状とした受け部を法面側の側面に複数配設するものであり、簡単な構造でしかも、法尻パネルを支持する角度を大幅に変えることができる。
【００１２】
請求項３に記載の発明によれば、法尻パネルをレジンコンクリート製とし、上部にアンカーピンを取り付けるための取付孔を形成したので、従来の法面ブロックに比べて法尻パネルを法面に沿わせるだけであり、法尻パネルが軽量なため運搬や法面への施工等を少人数で簡単に行うことができる。
【発明を実施するための最良の形態】
【００１３】
以下、この発明の法尻パネルブロックの実施の形態を、図面に基づいて詳細に説明する。
図１はこの発明の法尻パネルブロックの１実施例を示す斜視図、図２は基礎ブロック部分の平面図、図３はその側面図、図４は目地材の端面図、図５は基礎ブロックの連結用プレートの平面図、図６はその正面図、図７は施工完了時の概略断面図である。
【００１４】
この発明の法尻パネルブロック１１は、図１に示すように、歩道や車道としての道路と山や丘陵の法面との境界部分に敷設される基礎ブロック１２と、道路側から登り傾斜した法面（山肌）を覆うようにこれに沿って敷設される法尻パネル１３とを備えている。
上記基礎ブロック１２の一方（法面側）の側面には、図２および図３に示すように、法尻パネル１３の支持部１５を円弧状とした受け部１４を複数（図ではその長さ方向に２個）配設してある。この受け部１４は、基礎ブロック１２の上面の適宜位置から切り欠いて法面側に向かって傾斜させ、該傾斜部１２ａから延長した受け部１４の上面に法尻パネル１３の支持部１５を形成している。図ではこの支持部１５は円弧状の凹面からなっている。そして上記法尻パネル１３の下端部を円弧状の凹面からなる支持部１５にはめ込むことにより、法尻パネル１３を基礎ブロック１２上において、自由な角度で支持するようにしたものである。
上記基礎ブロック１２は、その両側端部を突状に形成されている。
【００１５】
また上記基礎ブロック１２には、必要に応じて道路の排水路となる空間部を形成することができ、基礎ブロック１２の上面に設けた排水導入口にはグレーチングプレートやパンチングプレート等の蓋体を取り付けて排水可能とすることもできる。
【００１６】
法尻パネル１３は、図１のように矩形かつ平板状のレジンコンクリート製、望ましくは繊維補強レジンコンクリート製であり、例えば、１８０ｃｍ等の法面を保護するのに適した大きさに設定されている。また上記法尻パネル１３の上部のほぼ中央には、アンカーピン１６を取り付けるための取付孔１７が形成されている。もちろん、アンカーピン１６の数は、必要とされる法面への取付強度に応じて適宜決定することができ、その際には取付孔１７もアンカーピン１６に対応して必要となることはいうまでもない。
【００１７】
法尻パネル１３は、図１および図４に示す目地材２１を介して連結されている。目地材２１は、連結部に位置するスペーサ部２２と、その表面側の端部に一体的に形成した所定の厚さを有するのり代部２３とで構成されており、のり代部２３はスペーサ部２２から翼のように両側に延びている。そして、のり代部２３の背面に法尻パネル１３の端辺を当接して接着剤等で固定するのである。
【００１８】
このようにして、各法尻パネル１３間を目地材２１で連結すると、目地材２１は土砂の流出を防止するだけでなく、意匠的にもアクセントとなって美観を高めることができるのである。
なおかつ、その素材としてガラス廃材や溶融スラグ等を骨材として含有するレジンコンクリートとすると、リサイクル製品としても提供することができる。
【００１９】
図５および図６は隣接する基礎ブロック１２どうしを連結する連結用プレート３１を示すものである。この連結用プレート３１は、細長い帯状の金属板やＦＲＰ板等からなり、その両側端部には少なくとも一方を長円としたボルト孔３２，３２が形成されている。その上で、基礎ブロック１２に埋め込んだ長ナット３３にボルト３４で固定されて、隣接する基礎ブロック１２どうしを連結するのである。
【００２０】
その際、それぞれの基礎ブロック１２は、上述のようにその両側端部を突状に形成されている。したがって、隣接する突合せ端部の突合せ角度を自由に変えることができるのである。またその際、上記一方の長円としたボルト孔３２へのボルト３４の取付位置を変えることにより、上記突合せ角度の変更にも難なく対応することができる。
図において３５は、上記連結用プレート３１の端部に形成した折曲げ部で、連結用プレート３１を取扱う際のつまみとして機能する。
【００２１】
図７は、上記実施形態の法尻パネルブロック１１の施工状態を示す概略断面図である。
具体的に説明すると、道路（図４では、歩道）４１と法面４２との境界部分に掘削した基礎ブロック１２の埋設溝内に、基礎砕石４３および敷モルタル４４を順に敷設した上で基礎ブロック１２を上面が道路に露出して面一となる状態で配置する。また、法面掘削を行った上で、基礎ブロック１２から延長した受け部１４上の円弧状の支持部１５に法尻パネル１３の下端部をはめ込むことにより、法尻パネル１３を基礎ブロック１２上に取り付けるものである。その際、上記法尻パネル１３は法面に沿って自由な角度で支持することができる。
【００２２】
法尻パネル１３を配置したならば、基礎ブロック１２と法尻パネル１３との間隙を固定モルタル４５等により中詰めして基礎ブロック１２と法尻パネル１３との角度を固定する。したがって、従来はまったく別個に行っていた基礎ブロック１２の埋設作業と法尻パネル１３の敷設作業とを同時に行うことになり、作業工程及び作業工数を従来よりも減少させることができる。
【産業上の利用可能性】
【００２３】
この発明の法尻パネルブロックは、道路脇の法面を保護するとともに、法面に樹生する草木の道路への影響を回避等するため等に使用することができるばかりでなく、法面を備えた堤防や護岸のため、あるいは各種構造物の盛土部分等にもなんら問題なく適用することができる。
【図面の簡単な説明】
【００２４】
【図１】この発明の法尻パネルブロックの１実施例を示す斜視図である。
【図２】基礎ブロック部分の平面図である。
【図３】その側面図である。
【図４】目地材の端面図である。
【図５】基礎ブロックの連結用プレートの平面図である。
【図６】その正面図である。
【図７】施工完了時の概略断面図である。
【図８】従来の法面ブロック構造体を用いた法面構造の一例を示す模式図である。
【符号の説明】
【００２５】
１１  法尻パネルブロック
１２  基礎ブロック
１２ａ  傾斜部
１３  法尻パネル
１４  受け部
１５  支持部
１６  アンカーピン
１７  取付孔
２１  目地材
２２  スペーサ部
２３  のり代部
３１  連結用プレート
３２，３２  ボルト孔
３３  長ナット
３４  ボルト
３５  折曲げ部
４１  道路
４２  法面
４３  基礎砕石
４４  敷モルタル
４５  固定モルタル
【図１】
2006249658.tif 000003
【図２】
2006249658.tif 000004
【図３】
2006249658.tif 000005
【図４】
2006249658.tif 000006
【図５】
2006249658.tif 000007
【図６】
2006249658.tif 000008
【図７】
2006249658.tif 000009
【図８】
2006249658.tif 000010